(57)【要約】【課題】書独特の美感を持ち、かつまた、書には殆ど存在しない色彩感や模様などの変化を自由につけることができる押し花入り書画を提供する。そしてこの考案により、押し花類を使用して、書に、変化をつけることができるようにする。【解決手段】不織布より成り、その表面に押し花類１２を配置した台紙１１と、上記台紙１１の表面に重ねて配置され、台紙表面の押し花類１２が透けて見える程度の薄さを有するとともに、紙面に書としての文字１６が書かれた書紙１５と、上記書紙１５の表面に重ねて配置する透明なシート状材料より成るカバー１７とを有し、上記台紙１１、書紙１５及びカバー１７は周囲を固定され、ほぼ密閉構造に形成されている押し花入り書画。【選択図】          図１
0003124509.tif 000002
【実用新案登録請求の範囲】
【請求項１】
不織布より成り、その表面に押し花類を配置した台紙と、上記台紙の表面に重ねて配置され、台紙表面の押し花類が透けて見える程度の薄さを有するとともに、紙面に書としての文字が書かれた書紙と、上記書紙の表面に重ねて配置する透明なシート状材料より成るカバーとを有し、上記台紙、書紙及びカバーは周囲を固定され、ほぼ密閉構造に形成されている押し花入り書画。
【請求項２】
台紙の裏面に、押し花類の乾燥のための乾燥剤マットが重ねられている請求項１記載の押し花入り書画。
【請求項３】
台紙、書紙及びカバーを固定している手段が、密閉性を有する粘着テープである請求項１記載の押し花入り書画。
【考案の詳細な説明】
【技術分野】
【０００１】
この考案は、紙面に書としての文字が書かれた書紙と、押し花類を組み合わせた押し花入り書画に関するものである。
【背景技術】
【０００２】
例えば、書家や或いは書をたしなむ者などが作品を飾るために、従来は、色紙に作るか或いは軸装するというような処理をすることがある。色紙は、さらに額に入れることもある。その際、それらの作品を、軸や台紙にそのまま貼り付けると、書独特の躍動感や精神性は認められるものの、場合によっては、変化に乏しいとか、寂しい感じのものになるということがある。
【０００３】
これに対して、実開昭６０−９８７００号のものは、急速乾燥乃至吸湿させた押し花を台紙に接着により固定し、その押し花を含む台紙一面に薄めの和紙を張り合わせた色紙を提案している。また、実用新案登録第３００１３２８号のものは、剥離シートと、強粘着性の第１シール層と、弱粘着性の第２シール層と、基材シートからなる化粧紙について、装飾として層間に配置したものを提案している。しかし、これらの提案は色紙用紙や絵葉書の域を出ないものである。
【０００４】
【特許文献１】実開昭６０−９８７００号
【特許文献２】実用新案登録第３００１３２８号
【考案の開示】
【考案が解決しようとする課題】
【０００５】
この考案は上記の点に着目して成されたもので、その課題は、書独特の美感を持つとともに、書には殆ど存在しない色彩感や模様などの変化を自由につけることができる押し花入り書画を提供することである。また、この考案の他の課題は、押し花類を使用して変化をつけることができるようにすることである。
【課題を解決するための手段】
【０００６】
前記の課題を解決するため、この考案は、不織布より成り、その表面に押し花類を配置した台紙と、上記台紙の表面に重ねて配置され、台紙表面の押し花類が透けて見える程度の薄さを有するとともに、紙面に書としての文字が書かれた書紙と、上記書紙の表面に重ねて配置する透明なシート状材料より成るカバーとを有し、上記台紙、書紙及びカバーはそれらの周囲を固定し、ほぼ密閉構造に形成するものとするという手段を講じたものである。
【０００７】
この考案において、押し花類とは、採集した花を加圧して平らにした、いわゆる押し花や、葉を同じように処理した押し葉などを含む。こうした押し花類は、乾燥等必要な処理を前もってほどこし、後に変質しないようにしておくことが望ましい。
【０００８】
押し花類は、不織布より成る台紙の表面に配置する。不織布は、弾力性を有する厚手のシート状材料であり、表面に配置した押し花類がずれにくく、また押し花が不織布の厚みの中に吸収され易いという利点がある。また、不織布は、伸び縮みの方向性も目立たず、取り扱い易い。
【０００９】
上記台紙の表面には、書紙が重ねて配置される。書紙は、飾ろうとする書としての文字が紙面に書かれているもので、かつ、台紙表面の押し花類が透けて見える程度の薄さを有するものである。この書紙は、作品としての書であり、しかも、台紙表面に配置した押し花類が透けて見えるものでもあるので、書に、装飾的な要素が加わり、変化を付けることができる。書紙は、柔軟で強く例えば白色の美しい楮紙や天具帖（典具帖）のような和紙などを使用することが望ましい。しかし、例えばパラフィン紙のような透明性の紙材を使用しても良い。
【００１０】
なお、台紙の裏面には、押し花類の乾燥のための乾燥剤マットを重ねて配置することができる。乾燥剤マットは、押し花の湿気を吸収し、変質を防止することを目的とするとともに、この考案の押し花入り書画の密閉構造において、内部の湿気の影響が、薄い書紙に及んで皺を作るようなことも防止することができる。
【００１１】
このような書紙の表面には、透明なシート状材料より成るカバーを重ねて配置する。このカバーは、書紙の表面を覆うことにより密閉的に保護するものであり、ガラス又はプラスチックなどのシート状材料を使用する。この意味で、カバーは透明であることが望ましい。
【００１２】
上記台紙、書紙及びカバーはそれらの周囲を固定し、ほぼ密閉構造に形成する。台紙、書紙及びカバーを固定し、密閉構造にする簡便な手段は、例えば、密閉性を有する粘着テープである。密閉構造を持つことにより、内部の条件が長期間一定に保ち易くなり、変色やかびの発生を防止するか、或いは遅らせることになる。密閉性を有する粘着テープとしては、例えば、いわゆるアルミテープを使用することができる。ほぼ密閉構造に形成されたこの考案のものは、さらに額装しても良い。
【考案の効果】
【００１３】
この考案は上記のように構成されかつ作用するものであるから、書独特の美感を持つとともに、透けて見える押し花類により、書には殆ど存在しない色彩と模様などの変化を自由につけることができるという効果がある。また、この考案によれば、押し花類により変化をつけることができる書画を提供することができる。
【考案を実施するための最良の形態】
【００１４】
以下、図示の実施形態を参照して、本考案をより詳細に説明する。図１には、この考案の押し花入り書画１０の１例が、分解状態で示してある。図において、１１は不織布より成る台紙であり、その表面に押し花類１２が配置されている。また、図示のものでは、台紙１１の裏面の側に、裏紙１３を配置した上で、押し花類１２の乾燥のための乾燥剤マット１４を重ねて配置しており、また、表面に任意の模様１１ａを有する台紙を使用している。
【００１５】
台紙１１の表面には、書紙１５を重ねて配置している。書紙１５は、紙面に、飾ろうとする書としての文字１６が書かれているもので、作品としての書である。そのため、書紙１５には、柔軟で強く美しい白色の和紙である楮紙を使用している。この書紙１５は、台紙表面の押し花類１２が透けて見える程度の薄さを有するものであり、従って、透けて見える押し花類１２や、下地の模様１１ａの配置が、文字１６と釣り合うような位置関係を考慮して、全体を整えるものである。
【００１６】
書紙１５の表面には、透明なシート状材料より成るカバー１７を重ねて配置する。このカバー１７は、書紙１５の表面を覆って保護するもので、無色透明のガラス製シート状材料を使用している。カバー１７としてプラスチックシートなども使用することができることは既に説明したとおりである。
【００１７】
台紙１１、書紙１５及びカバー１７は、それらの周囲を、密閉性を有する粘着テープ１８により固定し、ほぼ密閉構造に形成されている。台紙１１、書紙１５及びカバー１７を固定し、密閉構造にする密閉性を有する粘着テープ１８として、いわゆるアルミテープを使用している。ほぼ密閉構造に形成されたこの考案のものは、図示の例ではさらに額１９に収められている。
【００１８】
このようにして構成されている、この考案の押し花入り書画１０では、書と押し花類とが自由に組み合わせられるので、書の持つ精神性と、押し花類の色彩と模様による変化が調和した、新規な美観を作り出すことができる。
【図面の簡単な説明】
【００１９】
【図１】本考案に係る押し花入り書画の１例を示すもので、全体の構成を分解して表した斜視図である。
【図２】図１のものを額装した状態を一部拡大して示す断面図。
【符号の説明】
【００２０】
１０  押し花入り書画
１１  台紙
１１ａ  模様
１２  押し花類
１３  裏紙
１４  乾燥剤マット
１５  書紙
１６  文字
１７  カバー
１８  粘着テープ
１９  額
【図１】
0003124509.tif 000003
【図２】
0003124509.tif 000004